(57)【要約】【課題】二重パネル構造を有する画像表示装置の総消費電力を低減することができる技術を提供する。【解決手段】本発明の画像表示装置は、発光手段と、前記発光手段から発せられた光が透過する第１透過パネルと、前記第１透過パネルを透過した光が透過する第２透過パネルと、表示対象画像データに基づいて、前記発光手段の発光輝度、及び、前記第１透過パネルの透過率と前記第２透過パネルの透過率の少なくとも一方、を制御する制御手段と、を有する。【選択図】図１
2016110099.tif 000002
【特許請求の範囲】
【請求項１】
発光手段と、
前記発光手段から発せられた光が透過する第１透過パネルと、
前記第１透過パネルを透過した光が透過する第２透過パネルと、
表示対象画像データに基づいて、前記発光手段の発光輝度、及び、前記第１透過パネルの透過率と前記第２透過パネルの透過率の少なくとも一方、を制御する制御手段と、
を有することを特徴とする画像表示装置。
【請求項２】
前記発光手段の発光輝度と前記発光手段の消費電力との対応関係を表す第１電力情報、及び、前記第１透過パネルの透過率と前記第１透過パネルの消費電力との対応関係を表す第２電力情報と、前記第２透過パネルの透過率と前記第２透過パネルの消費電力との対応関係を表す第３電力情報と、の少なくとも一方、を記憶する記憶手段をさらに有し、
前記制御手段は、前記第１電力情報、前記第２電力情報と前記第３電力情報の少なくとも一方、及び、前記表示対象画像データ、に基づいて、前記発光手段の発光輝度を固定した場合と比較して低い総消費電力且つ略同じ輝度で前記表示対象画像データに基づく画像が表示されるように、前記発光手段の発光輝度、及び、前記第１透過パネルの透過率と前記第２透過パネルの透過率の少なくとも一方、を制御する
ことを特徴とする請求項１に記載の画像表示装置。
【請求項３】
前記記憶手段は、前記第１電力情報、前記第２電力情報、及び、前記第３電力情報、を記憶し、
前記制御手段は、前記第１電力情報、前記第２電力情報、前記第３電力情報、及び、表示対象画像データ、に基づいて、前記発光手段の発光輝度、前記第１透過パネルの透過率、及び、前記第２透過パネルの透過率、を制御する
ことを特徴とする請求項２に記載の画像表示装置。
【請求項４】
前記制御手段は、総消費電力が最小となるように、前記発光手段の発光輝度、及び、前記第１透過パネルの透過率と前記第２透過パネルの透過率の少なくとも一方、を制御することを特徴とする請求項２または３に記載の画像表示装置。
【請求項５】
前記制御手段は、
前記表示対象画像データに基づいて、前記表示対象画像データの最大輝度に応じた値を、前記発光手段の発光輝度として設定し、
前記発光手段の発光輝度の設定値と、前記表示対象画像データと、に基づいて、前記第１透過パネルの透過率、及び、前記第２透過パネルの透過率、を設定し、
前記第１電力情報、前記第２電力情報と前記第３電力情報の少なくとも一方、及び、前記表示対象画像データ、に基づいて、総消費電力がより低減するように、前記発光手段の発光輝度の設定値を高め、前記第１透過パネルの透過率の設定値と、前記第２透過パネルの透過率の設定値と、の少なくとも一方を低減する
ことを特徴とする請求項２〜４のいずれか１項に記載の画像表示装置。
【請求項６】
前記表示対象画像データに基づいて、前記表示対象画像データに基づく画像の領域から、隣接する領域よりも輝度が第１閾値以上高く、且つ、サイズが第２閾値以下である輝点領域を検出する検出手段をさらに有し、
前記制御手段は、前記輝点領域における画像データを考慮せずに、前記発光手段の発光輝度を制御する
ことを特徴とする請求項１〜５のいずれか１項に記載の画像表示装置。
【請求項７】
前記制御手段は、前記発光手段を駆動する駆動信号の大きさがより小さい値に制御され
るように、前記駆動信号の大きさと、前記駆動信号を前記発光手段に供給する供給時間と、の少なくとも一方を制御することより、前記発光手段の発光輝度を制御する
ことを特徴とする請求項１〜６のいずれか１項に記載の画像表示装置。
【請求項８】
前記発光手段は、発光色が互いに異なる複数の光源を有し、
前記制御手段は、前記表示対象画像データが表す画像の色に前記発光手段の発光色が近づくように、各光源の発光輝度を制御する
ことを特徴とする請求項１〜７のいずれか１項に記載の画像表示装置。
【請求項９】
前記発光手段は、第１発光手段と、前記第１発光手段と同じ消費電力で前記第１発光手段よりも高い発光輝度で発光する第２発光手段と、を有し、
前記制御手段は、前記第１発光手段の発光輝度がより低い値に制御されるように、前記第１発光手段の発光輝度と、前記第２発光手段の発光輝度と、の少なくとも一方を制御することにより、前記発光手段の発光輝度を制御する
ことを特徴とする請求項１〜８のいずれか１項に記載の画像表示装置。
【請求項１０】
前記発光手段は、対応する画面の領域が互いに異なる複数のサブ発光手段を有し、
前記制御手段は、各サブ発光手段の発光輝度を個別に制御する
ことを特徴とする請求項１〜９のいずれか１項に記載の画像表示装置。
【請求項１１】
前記制御手段は、各サブ発光手段から発せられた光の拡散をさらに考慮して、各サブ発光手段の発光輝度、及び、前記第１透過パネルの透過率と前記第２透過パネルの透過率の少なくとも一方、を制御する
ことを特徴とする請求項１〜１０のいずれか１項に記載の画像表示装置。
【請求項１２】
前記発光手段から発せられた光を検出するセンサをさらに有し、
前記制御手段は、前記発光手段の発光特性の変化に起因した前記センサの検出値の変化をさらに考慮して、前記発光手段の発光輝度、及び、前記第１透過パネルの透過率と前記第２透過パネルの透過率の少なくとも一方、を制御する
ことを特徴とする請求項１〜１１のいずれか１項に記載の画像表示装置。
【請求項１３】
発光手段と、
前記発光手段から発せられた光が透過する第１透過パネルと、
前記第１透過パネルを透過した光が透過する第２透過パネルと、
を有する画像表示装置の制御方法であって、
表示対象画像データを取得する取得ステップと、
前記表示対象画像データに基づいて、前記発光手段の発光輝度、及び、前記第１透過パネルの透過率と前記第２透過パネルの透過率の少なくとも一方、を制御する制御ステップと、
を有することを特徴とする画像表示装置の制御方法。
【請求項１４】
請求項１３に記載の画像表示装置の制御方法の各ステップをコンピュータに実行させることを特徴とするプログラム。
【発明の詳細な説明】
【技術分野】
【０００１】
本発明は、画像表示装置及びその制御方法に関する。
【背景技術】
【０００２】
近年、画像表示装置に対して、表示画像（画面に表示された画像）の見易さの向上が望まれている。具体的には、画像表示装置に対して、表示画像の明部と暗部の明暗比（コントラスト比）の拡大が望まれている。
【０００３】
画像表示装置に関する従来技術は、例えば、特許文献１，２に開示されている。
【０００４】
特許文献１には、液晶パネルとバックライト部を有する液晶表示装置が開示されている。特許文献１に開示の液晶表示装置では、明部表示領域における液晶パネルの透過率、及び、明部表示領域におけるバックライト部の発光輝度、が高められる。また、暗部表示領域における液晶パネルの透過率、及び、暗部表示領域におけるバックライト部の発光輝度、が低減される。明部表示領域は、画面の領域のうち、画像の明部が表示される領域であり、暗部表示領域は、画面の領域のうち、画像の暗部が表示される領域である。バックライト部の発光輝度を部分的に変更する制御は、“ローカルディミング制御”などと呼ばれる。
【０００５】
しかしながら、ローカルディミング制御で発光輝度を変更可能な領域の最小サイズは、液晶パネルが有する液晶素子のサイズよりも大きい。そのため、高周波成分を多く含む画像（例えば、細かいエッジが数多く存在する画像）を表示する場合、ローカルディミング制御を行っても、表示画像のコントラスト比は向上されにくい。
【０００６】
特許文献２には、カラー液晶パネル、白黒液晶パネル、及び、バックライト部、を有する液晶表示装置が開示されている。バックライト部は、所定の発光輝度で発光する。白黒液晶パネルは、カラー液晶パネルとバックライト部の間に設けられており、バックライト部から発せられた光は、白黒液晶パネルを透過した後に、カラー液晶パネルを透過する。特許文献２に開示の液晶表示装置では、カラー液晶パネルの透過率だけでなく、白黒液晶パネルの透過率も制御される。それにより、表示画像のコントラスト比が向上される。以後、このような２枚の液晶パネルを有する構造を、“二重パネル構造”と記載する。
【０００７】
白黒液晶パネルの透過率を変更可能な領域の最小サイズは、白黒液晶パネルが有する液晶素子のサイズであり、ローカルディミング制御で発光輝度を変更可能な領域の最小サイズよりも小さい。そのため、二重パネル構造を有する画像表示装置では、高周波成分を多く含む画像を表示する場合であっても、表示画像のコントラスト比を容易に向上することができる。
【０００８】
しかしながら、二重パネル構造を有する従来の液晶表示装置では、バックライト部から発せられた光が２枚の液晶パネルを透過することを考慮して、１枚の液晶パネルを用いた場合よりも高い値にバックライト部の発光輝度が制御されていた。その結果、従来の液晶表示装置では、二重パネル構造を採用することにより、液晶表示装置の総消費電力が増大していた。
【先行技術文献】
【特許文献】
【０００９】
【特許文献１】特開２０１０−１０７５３５号公報
【特許文献２】特開２００８−１２２５３６号公報
【発明の概要】
【発明が解決しようとする課題】
【００１０】
本発明は、二重パネル構造を有する画像表示装置の総消費電力を低減することができる技術を提供することを目的とする。
【課題を解決するための手段】
【００１１】
本発明の第１の態様は、
発光手段と、
前記発光手段から発せられた光が透過する第１透過パネルと、
前記第１透過パネルを透過した光が透過する第２透過パネルと、
表示対象画像データに基づいて、前記発光手段の発光輝度、及び、前記第１透過パネルの透過率と前記第２透過パネルの透過率の少なくとも一方、を制御する制御手段と、
を有することを特徴とする画像表示装置である。
【００１２】
本発明の第２の態様は、
発光手段と、
前記発光手段から発せられた光が透過する第１透過パネルと、
前記第１透過パネルを透過した光が透過する第２透過パネルと、
を有する画像表示装置の制御方法であって、
表示対象画像データを取得する取得ステップと、
前記表示対象画像データに基づいて、前記発光手段の発光輝度、及び、前記第１透過パネルの透過率と前記第２透過パネルの透過率の少なくとも一方、を制御する制御ステップと、
を有することを特徴とする画像表示装置の制御方法である。
【００１３】
本発明の第３の態様は、上述した画像表示装置の制御方法の各ステップをコンピュータに実行させることを特徴とするプログラムである。
【発明の効果】
【００１４】
本発明によれば、二重パネル構造を有する画像表示装置の総消費電力を低減することができる。
【図面の簡単な説明】
【００１５】
【図１】実施例１，２に係る画像表示装置の構成の一例を示す図
【図２】実施例１，２に係る第２液晶パネルの構成の一例を示す図
【図３】実施例１に係る第１液晶パネルの構成の一例を示す図
【図４】実施例１に係るバックライト部の構成の一例を示す図
【図５】実施例１に係る表示対象画像の一例を示す図
【図６】実施例１，２に係る電力情報の一例を示す図
【図７】実施例１，２に係る決定部の処理フローの一例を示すフローチャート
【図８】実施例２に係る第１液晶パネルの構成の一例を示す図
【図９】実施例２に係るバックライト部の構成の一例を示す図
【図１０】実施例２に係るバックライト部の構成の一例を示す図
【図１１】実施例２に係る発光プロファイルの一例を説明するための図
【図１２】実施例２に係る表示対象画像の一例を示す図
【図１３】他の実施例に係る効果の一例を説明する図
【発明を実施するための形態】
【００１６】
＜実施例１＞
以下、本発明の実施例１に係る画像表示装置及びその制御方法について説明する。
図１は、本実施例に係る画像表示装置１０の構成の一例を示す図である。画像表示装置１０は、バックライト部１００、第１液晶パネル２００、第２液晶パネル３００、記憶部４００、及び、制御部５００、を有する。
【００１７】
バックライト部１００は、光を発する発光部である。
第１液晶パネル２００は、バックライト部１００から発せられた光が透過する第１透過パネルである。
第２液晶パネル３００は、第１液晶パネル２００を透過した光が透過する第２透過パネルである。第１液晶パネル２００を透過した光が第２液晶パネル３００を透過することにより、画像表示装置１０の画面に画像が表示される。
なお、透過パネルは、液晶素子を有する液晶パネルに限らない。例えば、透過パネルは、液晶素子の代わりにＭＥＭＳ（Ｍｉｃｒｏ  Ｅｌｅｃｔｒｏ  Ｍｅｃｈａｎｉｃａｌ  Ｓｙｓｔｅｍ）シャッターを用いたＭＥＭＳシャッター方式パネルであってもよい。
【００１８】
記憶部４００は、第１電力情報、第２電力情報、及び、第３電力情報、を含む複数の情報を記憶する。第１電力情報は、バックライト部１００の発光輝度とバックライト部１００の消費電力との対応関係を表す情報である。第２電力情報は、第１液晶パネル２００の透過率と第１液晶パネル２００の消費電力との対応関係を表す情報である。第３電力情報は、第２液晶パネル３００の透過率と第２液晶パネルの消費電力との対応関係を表す情報である。第１電力情報、第２電力情報、及び、第３電力情報、のそれぞれは、メーカーによって予め定められた情報であってもよいし、ユーザが設定及び変更可能な情報であってもよい。
【００１９】
制御部５００は、表示対象画像データを取得する。本実施例では、画像表示装置１０に入力された画像データ（入力画像データ）が、表示対象画像データとして、制御部５００に入力される。制御部５００は、第１電力情報、第２電力情報、第３電力情報、及び、表示対象画像データ、に基づいて、バックライト部１００の発光輝度、第１液晶パネル２００の透過率、及び、第２液晶パネル３００の透過率、を制御する。具体的には、バックライト部１００の発光輝度を固定した場合と比較して低い総消費電力（画像表示装置１０の総消費電力）且つ略同じ輝度（表示輝度）で表示対象画像が表示されるように、上記３つの値が制御される。本実施例において、「略同じ」は「完全に同じ」を含む。表示対象画像は、表示対象画像データに基づく画像である。本実施例では、説明をわかりやすくするために、バックライト部１００の消費電力、第１液晶パネル２００の消費電力、及び、第２液晶パネル３００の消費電力、の合計値を、画像表示装置１０の総消費電力とみなす。
なお、表示対象画像データは、入力画像データに限らない。例えば、画像表示装置１０が、入力画像データに画像処理を施す画像処理部を有しており、画像処理後の画像データが表示対象画像データとして制御部５００に入力されてもよい。
【００２０】
本実施例に係る液晶パネルについて、より詳細に説明する。
【００２１】
第２液晶パネル３００は、複数の液晶素子を有する。本実施例では、図２に示すように、第２液晶パネル３００は、水平方向５個×垂直方向５個の合計２５個の液晶素子３０１〜３２５を有する。図２は、画面に垂直な方向から見た第２液晶パネル３００を示す。第１液晶パネル２００を透過した光は、液晶素子３０１〜３２５のそれぞれを透過する。液晶素子３０１〜３２５の透過率は個別に変更することができる。
なお、第２液晶パネル３００が有する液晶素子の数は、２５個より多くても少なくてもよい。一般的には、第２液晶パネル３００は、２５個よりも多くの液晶素子を有する。
また、図２では、複数の液晶素子がマトリクス状に配置されているが、複数の液晶素子
の配置はこれに限らない。例えば、複数の液晶素子は、千鳥格子状に配置されていてもよい。
【００２２】
第１液晶パネル２００は、１つ以上の液晶素子を有する。本実施例では、図３に示すように、第１液晶パネル２００は、１つの液晶素子を有する。図３は、画面に垂直な方向から見た第１液晶パネル２００を示す。バックライト部１００から発せられた光は、第１液晶パネル２００が有する液晶素子を透過した後、液晶素子３０１〜３２５のそれぞれに照射される。
なお、第１液晶パネル２００が複数の液晶素子を有していてもよい。
【００２３】
液晶素子の構造は、透過率を制御可能な構造であればよい。例えば、液晶素子としては、ＩＰＳ（Ｉｎ  Ｐｌａｎｅ  Ｓｗｉｔｃｈｉｎｇ）方式の液晶素子、ＶＡ（Ｖｅｒｔｉｃａｌ  Ａｌｉｇｎｍｅｎｔ）方式の液晶素子、ＰＤＬＣ（Ｐｏｌｙｍｅｒ  Ｄｉｓｐｅｒｓｅｄ  Ｌｉｑｕｉｄ  Ｃｒｙｓｔａｌ：高分子分散型液晶）、等を使用することができる。
【００２４】
液晶素子の特性や液晶素子の透過率の制御方法は特に限定されない。例えば、８ｂｉｔの値（０〜２５５の値）を有する液晶駆動信号を液晶素子に入力することにより、液晶素子の透過率が、所定のガンマカーブに従って、液晶駆動信号に対応する透過率Ｘ％に制御される。ガンマカーブは、液晶駆動信号の値と透過率との対応関係を表すカーブ（関数）であり、所定のガンマカーブは、例えば、ガンマ値＝２．２のガンマカーブである。液晶素子の透過率がＸ％に制御された場合、液晶素子に照射された光のＸ％の光が液晶素子を透過する。液晶素子の透過率が０％に制御された場合には、液晶素子に照射された光が液晶素子で略完全に遮断される。液晶素子の透過率が１００％に制御された場合には、液晶素子に照射された光が液晶素子を略完全に透過する。本実施例では、説明をわかりやすくするため、所定のガンマカーブがガンマ値＝１．０のガンマカーブであり、液晶パネルの消費電力が液晶パネルの透過率と透過サイズとに比例するものとする。透過サイズは、透過率が均一な領域のサイズである。
【００２５】
バックライト部１００について、より詳細に説明する。
バックライト部１００は、１つ以上の光源を有する。本実施例では、図４に示すように、バックライト部１００は、ＬＥＤ１１０と導光板１２０を有するサイド型バックライト装置である。図４は、画面と平行な方向から見たバックライト部１００を示す。図４には、第１液晶パネル２００と第２液晶パネル３００も示されている。ＬＥＤ１１０から発せられた光は、導光板１２０の側面から導光板１２０内に入射し、導光板１２０内で拡散し、導光板１２０の前面（第１液晶パネル２００側の面）から発せられる。バックライト部１００から発せられた光は、第１液晶パネル２００全体に照射される。ＬＥＤ１１０（光源）の発光輝度を制御することにより、バックライト部１００の発光輝度が制御される。本実施例では、光源駆動信号をＬＥＤ１１０に入力することにより、ＬＥＤ１１０の発光輝度が、光源駆動信号に対応する発光輝度に制御され、バックライト部１００の発光輝度も、光源駆動信号に対応する発光輝度に制御される。
【００２６】
光源は、ＬＥＤに限らない。例えば、光源として、有機ＥＬ素子、冷陰極管（ＣＣＦＬ）、等が使用されてもよい。
バックライト部１００の構造は、発光輝度を制御可能な構造であればよい。例えば、バックライト部１００として、直下型バックライト装置が使用されてもよい。
バックライト部１００の特性やバックライト部１００の発光輝度の制御方法は特に限定されない。本実施例では、説明をわかりやすくするため、発光輝度の単位として％を使用する。具体的には、発光輝度の最大値を１００％、発光輝度の最小値（消灯状態に対応する値）を０％とする。また、バックライト部１００の消費電力がバックライト部１００の
発光輝度に比例するものとする。
【００２７】
制御部５００について、より詳細に説明する。
図１に示すように、制御部５００は、決定部５１０、バックライト駆動部５２０、第１液晶駆動部５３０、及び、第２液晶駆動部５４０、を有する。
【００２８】
決定部５１０は、第１電力情報、第２電力情報、第３電力情報、及び、表示対象画像データ、に基づいて、バックライト部１００の発光輝度、第１液晶パネル２００の透過率、及び、第２液晶パネル３００の透過率を決定する。透過率は、液晶素子毎に決定される。バックライト部１００の発光輝度を２倍に高める場合には、第１液晶パネル２００、第２液晶パネル３００、又は、それら両方の透過率を低減することにより、表示輝度（画面上の輝度）を一定に保つことができる。具体的には、第１液晶パネル２００の透過率に第２液晶パネル３００の透過率を乗算した値が半分に低減されるように、第１液晶パネル２００、第２液晶パネル３００、又は、それら両方の透過率を低減することにより、表示輝度を一定に保つことができる。
【００２９】
バックライト駆動部５２０は、決定部５１０で決定された発光輝度にバックライト部１００の発光輝度が制御されるように、光源駆動信号をバックライト部１００に供給する。光源駆動信号の大きさと、光源駆動信号をバックライト部１００に供給する供給時間と、の少なくとも一方を変更することで、バックライト部１００の発光輝度を変更することができる。光源駆動信号は、バックライト部１００に印加する電圧、バックライト部１００に供給する電流、等である。バックライト部１００に印加する電圧が大きいほど高い値にバックライト部１００の発光輝度は制御される。また、バックライト部１００に電圧を印加する総印加時間が長いほど高い値にバックライト部１００の発光輝度は制御される。バックライト部１００の点灯と消灯が繰り返されるように、バックライト部１００に対して光源駆動信号が断続的に供給されてもよい。
【００３０】
第１液晶駆動部５３０は、決定部５１０で決定された透過率に第１液晶パネル２００の透過率が制御されるように、液晶駆動信号（第１液晶駆動信号）を第１液晶パネル２００に供給する。液晶駆動信号は、液晶パネル（液晶素子）に印加する電圧、液晶パネルに供給する電流、等である。
【００３１】
第２液晶駆動部５４０は、決定部５１０で決定された透過率に第２液晶パネル３００の透過率が制御されるように、液晶駆動信号（第２液晶駆動信号）を第２液晶パネル３００に供給する。
【００３２】
バックライト部１００の発光輝度、第１液晶パネル２００の透過率、及び、第２液晶パネル３００の透過率は、同期制御される。
【００３３】
決定部５１０について、図５（Ａ）〜５（Ｄ），６（Ａ），６（Ｂ），７を用いて、より詳細に説明する。
【００３４】
図５（Ａ）は、表示対象画像を構成する複数の画素の一例を示す。図５（Ａ）の例では、表示対象画像は、水平方向５個×垂直方向５個の合計２５個の画素４０１〜４２５によって構成されている。画素４０１〜４２５は、図２の液晶素子３０１〜３２５に対応する。
なお、表示対象画像を構成する画素の数は、２５個より多くても少なくてもよい。一般的には、表示対象画像は、２５個よりも多くの画素によって構成される。
【００３５】
図５（Ｂ）〜５（Ｄ）は、それぞれ、画素４０１〜画素４２５のデータ輝度（表示対象
画像データの輝度（輝度値））の一例を示す。本実施例では、データ輝度の単位として％を使用する。具体的には、データ輝度の最大値（白色に対応する値）を１００％、データ輝度の最小値（黒色に対応する値）を０％とする。図５（Ｂ）では、全ての画素のデータ輝度が５０％（灰色に対応する値）である。
【００３６】
図６（Ａ）は、第１電力情報の一例を示す。図６（Ａ）の例では、バックライト部１００の全ての光源の発光輝度が０％（消灯状態）のときのバックライト部１００の消費電力が０Ｗであり、バックライト部１００の全ての光源の発光輝度が１００％のときのバックライト部１００の消費電力が５０Ｗである。
【００３７】
図６（Ｂ）は、第２電力情報と第３電力情報の一例を示す。図６（Ｂ）の例では、第１液晶パネル２００の全ての液晶素子の透過率が０％のときの第１液晶パネル２００の消費電力が５Ｗであり、第１液晶パネル２００の全ての液晶素子の透過率が１００％のときの第１液晶パネル２００の消費電力が１０Ｗである。また、第２液晶パネル３００の全ての液晶素子の透過率が０％のときの第２液晶パネル３００の消費電力が５Ｗであり、第２液晶パネル３００の全ての液晶素子の透過率が１００％のときの第２液晶パネル３００の消費電力が１０Ｗである。
【００３８】
なお、図６（Ａ），６（Ｂ）では、電力情報としてテーブルが示されているが、電力情報は関数であってもよい。
【００３９】
ここで、表示対象画像のデータ輝度が図５（Ｂ）に示すデータ輝度であった場合を考える。この場合、例えば、バックライト部１００の全ての光源の発光輝度を１００％に、第１液晶パネル２００の全ての液晶素子の透過率を１００％に、第２液晶パネル３００の全ての液晶素子の透過率を５０％に、制御する。それにより、表示対象画像のデータ輝度と同等の表示輝度を実現することができる。このとき、バックライト部１００の消費電力は５０Ｗ、第１液晶パネル２００の消費電力は１０Ｗ、第２液晶パネル３００の消費電力は７．５Ｗ、となるため、画像表示装置１０の総消費電力は６７．５Ｗ（＝５０Ｗ＋１０Ｗ＋７．５Ｗ）となる。
決定部５１０は、画像表示装置１０の表示輝度の変化が抑制され、且つ、画像表示装置１０の総消費電力が低減されるように、バックライト部１００の発光輝度、第１液晶パネル２００の透過率、及び、第２液晶パネル３００の透過率、を決定する。
【００４０】
決定部５１０の処理フローの一例について、図７を用いて説明する。図７は、決定部５１０の処理フローの一例を示すフローチャートである。図７の処理フローは、例えば、表示対象画像データが決定部５１０に入力されたことに応じて開始される。
なお、以下では、画像表示装置１０の総消費電力が最小となるように、バックライト部１００の発光輝度、第１液晶パネル２００の透過率、及び、第２液晶パネル３００の透過率、が決定される例を説明するが、これに限らない。バックライト部１００の発光輝度を固定した場合よりも画像表示装置１０の総消費電力が低ければよい。
【００４１】
表示対象画像のデータ輝度が図５（Ｂ）に示すデータ輝度であった場合について説明する。
【００４２】
まず、決定部５１０は、表示対象画像データから、表示対象画像データの最大輝度を検出する（Ｓ７０１）。ここでは、全画素のデータ輝度が５０％であるため、最大輝度として５０％が検出される。
【００４３】
次に、決定部５１０は、Ｓ７０１で検出された最大輝度に応じた値（最大輝度と等しい値）を、バックライト部１００の発光輝度として設定する（Ｓ７０２）。ここでは、最大
輝度が５０％であるため、発光輝度として５０％が設定される。
【００４４】
そして、決定部５１０は、バックライト部１００の発光輝度の設定値と、表示対象画像データと、に基づいて、表示対象画像のデータ輝度と同等の表示輝度が実現されるように、第１液晶パネル２００の透過率と、第２液晶パネル３００の透過率と、を設定する。ここでは、バックライト部１００の発光輝度の設定値が５０％であり、全画素のデータ輝度が５０％である。そのため、第１液晶パネル２００の全ての液晶素子の透過率として１００％設定され、第２液晶パネル３００の全ての液晶素子の透過率として１００％が設定される。
【００４５】
次に、決定部５１０は、第１電力情報、第２電力情報、第３電力情報、及び、表示対象画像データ、に基づいて、Ｓ７０２とＳ７０３で設定された値（設定値）を調整する（Ｓ７０４）。具体的には、決定部５１０は、第１電力情報、第２電力情報、及び、第３電力情報に基づいて、Ｓ７０２とＳ７０３で設定された値を用いた場合の画像表示装置１０の総消費電力（基準電力）を算出する。そして、決定部５１０は、第１電力情報、第２電力情報、第３電力情報、及び、表示対象画像データ、に基づいて、総消費電力を基準電力未満に低減可能か否かを判断する。例えば、決定部５１０は、バックライト部１００の発光輝度がＳ７０２で設定された値よりも高い場合について、表示対象画像のデータ輝度と略同じ表示輝度を実現可能な制御パターンを検出する。制御パターンは、バックライト部１００の発光輝度、第１液晶パネル２００の透過率、及び、第２液晶パネル３００の透過率、の組み合わせである。そして、決定部５１０は、検出した制御パターンでの総消費電力を算出し、算出した総消費電力と基準電力とを比較する。それにより、総消費電力を基準電力未満に低減可能か否かを判断することができる。総消費電力が低減可能な場合には、決定部５１０は、総消費電力がより低減するように、バックライト部１００の発光輝度の設定値を高め、第１液晶パネル２００の透過率の設定値と、第２液晶パネル３００の透過率の設定値と、を低減する。
【００４６】
バックライト部１００の発光輝度の設定値は５０％であり、バックライト部１００の発光輝度が５０％のときのバックライト部１００の消費電力は２５Ｗである。第１液晶パネル２００の透過率の設定値、及び、第２液晶パネル３００の透過率の設定値、は１００％である。そして、第１液晶パネル２００の透過率が１００％のときの第１液晶パネル２００の消費電力は１０Ｗであり、第２液晶パネル３００の透過率が１００％のときの第２液晶パネル３００の消費電力は１０Ｗである。そのため、Ｓ７０２とＳ７０３で設定された値を用いた場合の画像表示装置１０の総消費電力（基準電力）として、４５Ｗ（＝２５Ｗ＋１０Ｗ＋１０Ｗ）が算出される。そして、総消費電力を基準電力４５Ｗ未満に低減することができないと判断されるため、Ｓ７０２とＳ７０３で設定された値は変更されない。
【００４７】
そして、決定部５１０は、バックライト部１００の発光輝度の設定値、第１液晶パネル２００の透過率の設定値、及び、第２液晶パネル３００の透過率の設定値、を出力する。バックライト部１００の発光輝度の設定値は、バックライト駆動部５２０に出力される。第１液晶パネル２００の透過率の設定値は、第１液晶駆動部５３０に出力される。そして、第２液晶パネル３００の透過率の設定値は、第２液晶駆動部５４０に出力される。Ｓ７０４で設定値が調整された場合には、調整後の設定値が出力され、Ｓ７０４で設定値が調整されなかった場合には、Ｓ７０２とＳ７０３で決定された設定値が出力される。ここでは、Ｓ７０４で設定値が調整されなかったため、Ｓ７０２とＳ７０３で決定された設定値が出力される。
【００４８】
以上の処理により、画像表示装置１０の表示輝度の変化を抑制しつつ、画像表示装置１０の総消費電力を６７．５Ｗから４５Ｗに低減することができる。
なお、決定部５１０の処理フローは図７の処理フローに限らない。例えば、表示対象画
像のデータ輝度と同等の表示輝度を実現可能な全ての制御パターンを検出し、検出した全ての制御パターンの中から総消費電力が最も低い制御パターンを選択して設定してもよい。
【００４９】
表示対象画像のデータ輝度が図５（Ｃ）に示すデータ輝度であった場合における決定部５１０の処理フローの一例ついて説明する。図５（Ｃ）では、全ての画素のデータ輝度が１％（黒色に近い灰色に対応する値）である。この場合、例えば、バックライト部１００の全ての光源の発光輝度を１００％に、第１液晶パネル２００の全ての液晶素子の透過率を１００％に、第２液晶パネル３００の全ての液晶素子の透過率を１％に、制御する。それにより、表示対象画像のデータ輝度と同等の表示輝度を実現することができる。このとき、バックライト部１００の消費電力は５０Ｗ、第１液晶パネル２００の消費電力は１０Ｗ、第２液晶パネル３００の消費電力は５．０５Ｗ、となるため、画像表示装置１０の総消費電力は６５．０５Ｗ（＝５０Ｗ＋１０Ｗ＋５．０５Ｗ）となる。
【００５０】
まず、全画素のデータ輝度が１％であるため、最大輝度として１％が検出される（Ｓ７０１）。
次に、最大輝度が１％であるため、バックライト部１００の発光輝度として１％が設定される（Ｓ７０２）。
そして、１００％が第１液晶パネル２００の透過率として設定され、１００％が第２液晶パネル３００の透過率として設定される。
【００５１】
次に、Ｓ７０４の処理が行われる。
バックライト部１００の発光輝度の設定値は１％であり、バックライト部１００の発光輝度が１％のときのバックライト部１００の消費電力は０.５Ｗである。第１液晶パネル
２００の透過率の設定値、及び、第２液晶パネル３００の透過率の設定値、は１００％である。そして、第１液晶パネル２００の透過率が１００％のときの第１液晶パネル２００の消費電力は１０Ｗであり、第２液晶パネル３００の透過率が１００％のときの第２液晶パネル３００の消費電力は１０Ｗである。そのため、Ｓ７０２とＳ７０３で設定された値を用いた場合の画像表示装置１０の総消費電力（基準電力）として、２０．５Ｗ（＝０．５Ｗ＋１０Ｗ＋１０Ｗ）が算出される。
【００５２】
そして、バックライト部１００の発光輝度４％、第１液晶パネル２００の透過率５０％、及び、第２液晶パネル３００の透過率５０％、の組み合わせが、１％の表示輝度を実現可能な制御パターンとして検出される。検出された制御パターンでは、バックライト部１００の消費電力は２Ｗ、第１液晶パネル２００の消費電力は７．５Ｗ、第２液晶パネル３００の消費電力は７．５Ｗ、である。そのため、検出された制御パターンでの総消費電力として、基準電力２０．５Ｗよりも低い１７Ｗが算出される。その結果、総消費電力を基準電力２０．５Ｗ未満に低減することができると判断される。そして、バックライト部１００の発光輝度の設定値が４％に、第１液晶パネル２００の透過率の設定値が５０％に、第２液晶パネル３００の透過率の設定値が５０％に、調整される。
ここまでが、Ｓ７０４の処理である。
【００５３】
次に、バックライト部１００の発光輝度の設定値４％、第１液晶パネル２００の透過率の設定値５０％、及び、第２液晶パネル３００の透過率の設定値５０％、が決定部５１０から出力される（Ｓ７０５）。
【００５４】
以上の処理により、画像表示装置１０の表示輝度の変化を抑制しつつ、画像表示装置１０の総消費電力を６５．０５Ｗから１７Ｗに低減することができる。なお、Ｓ７０２とＳ７０３で設定された値を用いた場合でも、画像表示装置１０の総消費電力を６５．０５Ｗから２０．５Ｗに低減することができる。そのため、Ｓ７０４の処理を行わずに、Ｓ７０
２とＳ７０３で設定された値が最終的な設定値として採用されてもよい。
【００５５】
表示対象画像のデータ輝度が図５（Ｄ）に示す輝度であった場合における決定部５１０の処理フローの一例について説明する。図５（Ｄ）では、画素４１３のデータ輝度が１００％であり、残りの画素のデータ輝度が５０％である。この場合、バックライト部１００の全ての光源の発光輝度を１００％に、第１液晶パネル２００の全ての液晶素子の透過率を１００％に、制御する。そして、第２液晶パネル３００の液晶素子３１３の透過率を１００％に、第２液晶パネル３００の残り２４個の液晶素子の透過率を５０％に、制御する。それにより、表示対象画像のデータ輝度と同等の表示輝度を実現することができる。このとき、バックライト部１００の消費電力は５０Ｗ、第１液晶パネル２００の消費電力は１０Ｗ、である。液晶素子３１３の透過率を１００％に制御することに起因した第２液晶パネル３００の消費電力は、０．４Ｗ（＝１０Ｗ×（１／２５））である。そして、第２液晶パネル３００の残り２４個の液晶素子の透過率を５０％に制御することに起因した消費電力は、７．２Ｗ（＝７．５Ｗ×（２４／２５））である。そのため、画像表示装置１０の総消費電力は６７．６Ｗ（＝５０Ｗ＋１０Ｗ＋０．４Ｗ＋７．２Ｗ）となる。
【００５６】
本実施例では、制御部５００は、表示対象画像データに基づいて、表示対象画像の領域から、隣接する領域（隣接領域）よりもデータ輝度が第１閾値以上高く、且つ、サイズが第２閾値以下である輝点領域を検出する処理をさらに行う。そして、制御部５００は、輝点領域における画像データを考慮せずに、バックライト部１００の発光輝度を制御する。
【００５７】
なお、第１閾値と第２閾値の少なくとも一方は、メーカーによって予め定められた値であってもよいし、ユーザが設定及び変更可能な値であってもよい。本実施例では、第１閾値が隣接領域（隣接画素）のデータ輝度の８０％であり、第２閾値が１画素分のサイズであるものとするが、第１閾値と第２閾値はこれに限らない。
【００５８】
なお、輝点領域における画像データを考慮して発光輝度が制御されてもよい。画像表示装置１０が、動作モードとして、輝点領域における画像データを考慮する輝点考慮モードと、輝点領域における画像データを考慮しない輝点非考慮モードと、を有していてもよい。そして、画像表示装置１０が、輝点考慮モードと輝点非考慮モードのいずれかを選択して設定する設定部をさらに有していてもよい。輝点考慮モードと輝点非考慮モードのいずれかが自動で選択されて設定されてもよいし、輝点考慮モードと輝点非考慮モードのいずれかがユーザ操作に応じて選択されて設定されてもよい。
【００５９】
まず、決定部５１０は、表示対象画像データに基づいて輝点領域を検出し、輝点領域以外の領域における最大輝度を検出する（Ｓ７０１）。ここでは、画素４１３の領域が輝点領域として検出される。そして、画素４１３以外の全ての画素のデータ輝度が５０％であるため、最大輝度として５０％が検出される。
次に、最大輝度が５０％であるため、バックライト部１００の発光輝度として５０％が設定される。
そして、１００％が第１液晶パネル２００の透過率として設定され、１００％が第２液晶パネル３００の透過率として設定される。
【００６０】
次に、Ｓ７０４の処理が行われる。
バックライト部１００の発光輝度の設定値は５０％であり、バックライト部１００の発光輝度が５０％のときのバックライト部１００の消費電力は２５Ｗである。第１液晶パネル２００の透過率の設定値、及び、第２液晶パネル３００の透過率の設定値、は１００％である。そして、第１液晶パネル２００の透過率が１００％のときの第１液晶パネル２００の消費電力は１０Ｗであり、第２液晶パネル３００の透過率が１００％のときの第２液晶パネル３００の消費電力は１０Ｗである。そのため、Ｓ７０２とＳ７０３で設定された
値を用いた場合の画像表示装置１０の総消費電力（基準電力）として、４５Ｗ（＝２５Ｗ＋１０Ｗ＋１０Ｗ）が算出される。そして、総消費電力を基準電力４５Ｗ未満に低減することができないと判断されるため、Ｓ７０２とＳ７０３で設定された値は変更されない。
【００６１】
そして、バックライト部１００の発光輝度の設定値５０％、第１液晶パネル２００の透過率の設定値１００％、及び、第２液晶パネル３００の透過率の設定値１００％、が決定部５１０から出力される（Ｓ７０５）。
【００６２】
以上の処理により、画像表示装置１０の表示輝度の変化を抑制しつつ、画像表示装置１０の総消費電力を６７．６Ｗから４５Ｗに低減することができる。
【００６３】
以上述べたように、本実施例によれば、第１電力情報、第２電力情報、第３電力情報、及び、表示対象画像データ、に基づいて、バックライト部１００の発光輝度、第１液晶パネル２００の透過率、及び、第２液晶パネル３００の透過率、が制御される。それにより、２枚の透過パネル（液晶パネル）を有する画像表示装置の表示輝度の変化を抑制しつつ、当該画像表示装置の総消費電力を低減することができる。
【００６４】
なお、バックライト部の駆動方式と、バックライト部の発光効率（例えば、単位電力あたりの発光輝度）と、の関係を考慮してバックライト部の発光輝度を制御することによって、バックライト部の消費電力をより低減することができる。ひいては、画像表示装置の総消費電力をより低減することができる。バックライト部を駆動する光源駆動信号の大きさが大きいほど、バックライト部の消費電力は大きく、光源駆動信号をバックライト部に供給する供給時間が長いほど、バックライト部の消費電力は大きい。ここで、バックライト部を駆動する光源駆動信号の大きさを低減すると、バックライト部の発光効率が高まることが知られている。例えば、ＬＥＤに供給する電流の値を低減すると、ＬＥＤの発光効率が高まることが知られている。そのため、光源駆動信号の大きさがより小さい値に制御されるように、光源駆動信号の大きさと、光源駆動信号の供給時間と、の少なくとも一方を制御することより、バックライト部の発光輝度が制御されることが好ましい。例えば、バックライト部の発光輝度を半分に低減する場合には、光源駆動信号の大きさを半分以下に低減し、光源駆動信号の供給時間を２倍に増やすことが好ましい。これにより、バックライト部の消費電力をより低減することができ、ひいては画像表示装置の総消費電力をより低減することができる。
【００６５】
なお、バックライト部は、第１発光部と、第１発光部よりも発光効率が高い第２発光部と、を有していてもよい。ここで、第１発光部よりも発光効率が高いことは、第１発光部と同じ消費電力で第１発光部よりも高い発光輝度で発光することを意味する。その場合には、第１発光部の発光輝度がより低い値に制御されるように、第１発光部の発光輝度と、第２発光部の発光輝度と、の少なくとも一方を制御することにより、バックライト部の発光輝度が制御されることが好ましい。ここで、バックライト部が、ＲＧＢ方式の発光部と、蛍光体方式の発光部と、を有する場合を考える。ＲＧＢ方式の発光部は、例えば、赤色光を発する赤色ＬＥＤ、緑色光を発する緑色ＬＥＤ、及び、青色光を発する青色ＬＥＤを有する発光部である。ＲＧＢ方式の発光部からは、赤色ＬＥＤから発せられた赤色光、緑色ＬＥＤから発せられた緑色光、及び、青色ＬＥＤから発せられた青色光、を合成した白色光が発せられる。蛍光体方式の発光部は、青色光を発する青色ＬＥＤと、青色ＬＥＤから発せられた青色光が照射されることによって黄色光を発する蛍光体（黄色蛍光体）と、を有する発光部である。蛍光体方式の発光部からは、青色ＬＥＤから発せられた青色光と、黄色蛍光体から発せられた黄色光と、を合成した白色光が発せられる。ＲＧＢ方式の発光部は、蛍光体方式の発光部に比べ発光効率が低いことが知られている。そのため、この場合には、ＲＧＢ方式の発光部の発光輝度がより低い値に制御されるように、ＲＧＢ方式の発光部の発光輝度と、蛍光体方式の発光部の発光輝度と、の少なくとも一方が制御され
ることが好ましい。これにより、バックライト部の消費電力をより低減することができ、ひいては画像表示装置の総消費電力をより低減することができる。
【００６６】
なお、バックライト部の発光輝度は、バックライト部周辺の温度の変化、バックライト部の劣化、等によって変化することが知られている。そのため、画像表示装置は、バックライト部から発せられた光を検出する光センサをさらに有することが好ましい。そして、バックライト部の発光特性の変化に起因した光センサの検出値の変化をさらに考慮して、バックライト部の発光輝度、第１液晶パネルの透過率、及び、第２液晶パネルの透過率、が制御されることが好ましい。例えば、バックライト部の発光特性の変化に起因した光センサの検出値の変化に応じて、バックライト部の発光輝度を増減したり、液晶パネルの透過率を増減したりすることが好ましい。光センサの設置位置は、バックライト部の発光特性の変化を検出可能な位置であればよい。例えば、バックライト部の近傍に光センサが設けられてもよいし、バックライト部から発せられて液晶パネルを透過した光が検出される位置に光センサが設けられてもよい。
【００６７】
なお、本実施例では、モノクロ画像を表示する画像表示装置（モノクロ表示装置）の例を説明したが、カラー画像を表示する画像表示装置（カラー表示装置）でも上記処理と同様の処理を行うことにより、画像表示装置の総消費電力を低減することができる。また、画像表示装置がカラー画像表示装置である場合には、バックライト部は、発光色が互いに異なる複数の光源を有することが好ましい。そして、表示対象画像データが表す画像の色にバックライト部の発光色が近づくように、各光源の発光輝度が制御されることが好ましい。ここで、赤色ＬＥＤ、緑色ＬＥＤ、及び、青色ＬＥＤ、をバックライト部が有し、表示対象画像データが表す画像の色において、赤色の輝度が１００％、緑色の輝度が５０％、青色の輝度が０％、である場合を考える。この場合には、赤色ＬＥＤの発光輝度を１００％に、緑色ＬＥＤの発光輝度を５０％に、青色ＬＥＤの発光輝度を０％に、制御することが好ましい。これにより、バックライト部の消費電力をより低減することができ、ひいては画像表示装置の総消費電力をより低減することができる。
【００６８】
＜実施例２＞
以下、本発明の実施例２に係る画像表示装置及びその制御方法について説明する。本実施例では、第１液晶パネルの透過率やバックライト部の発光輝度を部分的に変更可能な構成について説明する。以下では、実施例１と異なる構成や処理について詳しく説明し、実施例１と同じ構成や処理については説明を省略する。
【００６９】
本実施例に係る第１液晶パネル２００は、複数の液晶素子を有する。本実施例では、図８に示すように、水平方向５個×垂直方向５個の合計２５個の液晶素子２０１〜２２５を有する。液晶素子（第１液晶素子）２０１〜２２５は、図２の液晶素子（第２液晶素子）３０１〜３２５に対応する。本実施例では、説明を簡単にするために、第１液晶素子を透過した光が、第１液晶素子に対応する第２液晶素子にのみ照射されるものとする。例えば、第１液晶素子２０１を透過した光は、第２液晶素子３０１にのみ照射される。
【００７０】
なお、第１液晶素子を透過した光は、拡散し、対応する第２液晶素子と、その周囲の第２液晶素子と、に照射されてもよい。
なお、第１液晶パネル２００が有する液晶素子の数は、第２液晶パネル３００が有する液晶素子の数より多くても少なくてもよい。
【００７１】
本実施例に係るバックライト部１００は、対応する画面の領域が互いに異なる複数のサブ発光部を有する。例えば、バックライト部１００は、図９に示すように、複数のサブ発光部を有する直下型バックライト装置である。各サブ発光部は１つ以上の光源を有する。本実施例では、図１０に示すように、バックライト部１００は、９個のサブ発光部１０１
，１０３，１０５，１０７，１０９，１１１，１１３，１１５，１２１，１２３，１２５を有する。サブ発光部１０１，１０３，１０５，１０７，１０９，１１１，１１３，１１５，１２１，１２３，１２５は、図２の液晶素子３０１，３０３，３０５，３０７，３０９，３１１，３１３，３１５，３２１，３２３，３２５に対応する。本実施例では、サブ発光部から発せられた光の多くは、対応する液晶素子の領域に照射される。そして、サブ発光部から発せられた光は、拡散し、対応する液晶素子の領域以外の領域にも照射される。また、本実施例では、各サブ発光部の発光輝度の最大値が１００％よりも高いものとする。
【００７２】
なお、バックライト部１００が有するサブ発光部の数は、第１液晶パネル２００が有する液晶素子の数より多くても少なくてもよいし、第２液晶パネル３００が有する液晶素子の数より多くても少なくてもよい。
なお、サブ発光部に対応する領域（対応領域）は、複数の液晶素子を含む領域であってもよい。複数のサブ発光部に対応する複数の対応領域は、画面の領域を構成する複数の分割領域であってもよい。サブ発光部間で、対応領域が重なり合っていてもよい。
なお、サブ発光部から発せられた光が、対応領域にのみ照射されてもよい。
【００７３】
本実施例に係る制御部５００は、第１電力情報、第２電力情報、第３電力情報、及び、表示対象画像データ、に基づいて、バックライト部１００の発光輝度、第１液晶パネル２００の透過率、及び、第２液晶パネル３００の透過率、を制御する。本実施例でも、バックライト部１００の発光輝度を固定した場合と比較して低い総消費電力（画像表示装置１０の総消費電力）且つ略同じ表示輝度で表示対象画像が表示されるように、上記３つの値が制御される。但し、本実施例では、各サブ発光部の発光輝度が個別に制御される。それにより、画像表示装置１０の総消費電力をより低減することができる。また、本実施例では、各サブ発光部から発せられた光の拡散をさらに考慮して、各サブ発光部の発光輝度、第１液晶パネル２００の透過率、及び、第２液晶パネル３００の透過率、が制御される。それにより、表示輝度の変化をより抑制することができる。
なお、各サブ発光部から発せられた光の拡散は考慮されなくてもよい。
【００７４】
バックライト部１００から第１液晶素子に照射される光の輝度（照射輝度）について、図１１（Ａ）〜１１（Ｆ）を用いて説明する。
図１１（Ａ）は、サブ発光部１１３のみが点灯している状態を示す。図１１（Ｂ）は、図１１（Ａ）の状態における各第１液晶素子の照射輝度を示す。図１１（Ｃ）は、サブ発光部１１５のみが点灯している状態を示す。図１１（Ｄ）は、図１１（Ｃ）の状態における各第１液晶素子の照射輝度を示す。図１１（Ｅ）は、サブ発光部１１１のみが点灯している状態を示す。図１１（Ｆ）は、図１１（Ｅ）の状態における各第１液晶素子の照射輝度を示す。図１１（Ｂ），１１（Ｄ），１１（Ｆ）では、照射輝度の最大値が１００％となるように正規化された値が、照射輝度として示されている。以後、各第１液晶素子の照射輝度を示す情報を、“発光プロファイル”と記載する。
【００７５】
図１１（Ｂ）に示す発光プロファイルは、サブ発光部１１３に対応する発光プロファイルである。サブ発光部１１３に対応する発光プロファイルでは、サブ発光部１１３に対応する第１液晶素子２１３の照射輝度が１００％であり、第１液晶素子２１３からの距離の増加に伴い照射輝度が低下することが示されている。
図１１（Ｄ）に示す発光プロファイルは、サブ発光部１１５に対応する発光プロファイルである。サブ発光部１１５に対応する発光プロファイルでは、サブ発光部１１５に対応する第１液晶素子２１５の照射輝度が１００％であり、第１液晶素子２１５からの距離の増加に伴い照射輝度が低下することが示されている。
図１１（Ｆ）に示す発光プロファイルは、サブ発光部１１１に対応する発光プロファイルである。サブ発光部１１１に対応する発光プロファイルでは、サブ発光部１１１に対応
する第１液晶素子２１１の照射輝度が１００％であり、第１液晶素子２１１からの距離の増加に伴い照射輝度が低下することが示されている。
【００７６】
本実施例では、各サブ発光部の発光プロファイルが、データ化されており、記憶部４００に予め記録されている。そして、各発光プロファイルを用いて、各サブ発光部から発せられた光の拡散をさらに考慮した制御（各サブ発光部の発光輝度、第１液晶パネル２００の透過率、及び、第２液晶パネル３００の透過率、の制御）が行われる。
なお、発光プロファイルのデータは、メーカーによって予め作成されたデータであってもよいし、ユーザが実験等を行うことによって作成されたデータであってもよい。
なお、発光プロファイルのデータは、サブ発光部１１５（サブ発光部１１５に対応する第１液晶素子）からの距離と、照射輝度と、の対応関係を表すデータであれば、どのようなデータであってもよい。発光プロファイルのデータとして、複数のサブ発光部で共通のデータが用意されてもよい。
【００７７】
本実施例に係る決定部５１０の処理フローについて、図７を用いて説明する。
図１２（Ａ），１２（Ｂ）は、表示対象画像のデータ輝度の一例を示す。
【００７８】
表示対象画像のデータ輝度が図１２（Ａ）に示すデータ輝度であった場合における決定部５１０の処理フローの一例について説明する。図１２（Ａ）では、画素４１３のデータ輝度が１００％、画素４１４のデータ輝度が１５％、残りの画素のデータ輝度が０％、である。
【００７９】
まず、画素４１３のデータ輝度が１００％、画素４１４のデータ輝度が１５％、残りの画素のデータ輝度が０％、であるため、最大輝度として１００％が検出される（Ｓ７０１）。
次に、最大輝度が１００％であるため、全てのサブ発光部の発光輝度として１００％が設定される（Ｓ７０２）。
【００８０】
そして、Ｓ７０３の処理が行われる。
全てのサブ発光部の発光輝度の設定値は１００％であり、且つ、画素４０１のデータ輝度は０％である。そのため、第１液晶素子２０１の透過率に第２液晶素子３０１の透過率を乗算した値が０％となるように、第１液晶素子２０１と第２液晶素子３０１の透過率が設定される。本実施例では、第１液晶素子２０１の透過率、及び、第２液晶素子３０１の透過率、として０％が設定される。同様に、第１液晶素子２０２〜２１２，２１５〜２２５の透過率、及び、第２液晶素子３０２〜３１２，３１５〜３２５の透過率、として０％が設定される。
【００８１】
また、全てのサブ発光部の発光輝度の設定値は１００％であり、且つ、画素４１３のデータ輝度は１００％である。そのため、第１液晶素子２１３の透過率に第２液晶素子３１３の透過率を乗算した値が１００％となるように、第１液晶素子２１３と第２液晶素子３１３の透過率が設定される。本実施例では、第１液晶素子２１３の透過率、及び、第２液晶素子３１３の透過率、として１００％が設定される。
【００８２】
また、全サブ発光部の発光輝度の設定値は１００％であり、且つ、画素４１４のデータ輝度は１５％である。そのため、第１液晶素子２１４の透過率に第２液晶素子３１４の透過率を乗算した値が１５％となるように、第１液晶素子２１４と第２液晶素子３１４の透過率が設定される。本実施例では、第１液晶素子２１４の透過率として１５％が設定され、第２液晶素子３１４の透過率として１００％が設定される。
【００８３】
次に、Ｓ７０４の処理が行われる。
全てのサブ発光部の発光輝度の設定値は１００％であり、全てのサブ発光部の発光輝度が１００％のときのバックライト部１００の消費電力は５０Ｗである。
２３個の第１液晶素子２０１〜２１２，２１５〜２２５の透過率の設定値は０％である。そして、２３個の第１液晶素子２０１〜２１２，２１５〜２２５の透過率を０％に制御することに起因した第１液晶パネル２００の消費電力は４．６Ｗ（＝５Ｗ×（２３／２５））である。第１液晶素子２１３の透過率の設定値は１００％であり、第１液晶素子２１３の透過率を１００％に制御することに起因した第１液晶パネル２００の消費電力は０．４Ｗ（＝１０Ｗ×（１／２５））である。第１液晶素子２１４の透過率の設定値は１５％であり、第１液晶素子２１４の透過率を１５％に制御することに起因した第１液晶パネル２００の消費電力は０．２３Ｗ（＝５．７５Ｗ×（１／２５））である。そのため、Ｓ７０３で設定された値を用いた場合の第１液晶パネル２００の総消費電力として、５．２３Ｗ（＝４．６Ｗ＋０．４Ｗ＋０．２３Ｗ）が算出される。
２３個の第２液晶素子３０１〜３１２，３１５〜３２５の透過率の設定値は０％である。そして、２３個の第２液晶素子３０１〜３１２，３１５〜３２５の透過率を０％に制御することに起因した第２液晶パネル３００の消費電力は４．６Ｗである。２つの第２液晶素子３１３，３１４の透過率の設定値は１００％であり、２つの第２液晶素子３１３，３１４の透過率を１００％に制御することに起因した第２液晶パネル３００の消費電力は０．８Ｗ（＝１０Ｗ×（２／２５））である。そのため、Ｓ７０３で設定された値を用いた場合の第２液晶パネル３００の総消費電力として、５．４Ｗ（＝４．６Ｗ＋０．８Ｗ）が算出される。
そして、Ｓ７０２とＳ７０３で設定された値を用いた場合の画像表示装置１０の総消費電力（基準電力）として、６０．６３Ｗ（＝５０Ｗ＋５．２３Ｗ＋５．４Ｗ）が算出される。
【００８４】
次に、表示対象画像データに基づいて、表示対象画像のデータ輝度が低い領域に対応するサブ発光部の発光輝度の設定値が低減される。８つの画素４０１，４０３，４０５，４１１，４１５，４２１，４２３，４２５のデータ輝度が０％である。そのため、上記８つの画素に対応する８つのサブ発光部１０１，１０３，１０５，１１１，１１５，１２１，１２３，１２５の発光輝度の設定値が０％に調整される。
【００８５】
そして、上記８つのサブ発光部の発光輝度を１００％から０％に低減したことによる表示輝度の変化が抑制されるように、サブ発光部の発光輝度の設定値、及び、液晶素子の透過率の設定値、が調整される。具体的には、発光輝度の設定値が１００％であるサブ発光部と透過率の設定値が０％でない液晶素子とについて、設定値が調整される。
【００８６】
全てのサブ発光部の発光輝度を１００％に制御した場合における第１液晶素子２１３の照射輝度が、各サブ発光部の発光プロファイルに基づいて算出される。照射輝度は、バックライト部１００から第１液晶素子に照射される光の輝度である。サブ発光部１１３から第１液晶素子２１３に照射される光の輝度は、１００％である。４つのサブ発光部１０３，１１１，１１５，１２３から第１液晶素子２１３に照射される光の輝度は、８０％（＝２０％×４）である。４つのサブ発光部１０１，１０５，１２１，１２５から第１液晶素子２１３に照射される光の輝度は、２０％（＝５％×４）である。そのため、全てのサブ発光部の発光輝度を１００％に制御した場合における第１液晶素子２１３の照射輝度として、２００％（＝１００％＋８０％＋２０％）が算出される。本実施例では、照射輝度２００％が表示対象画像のデータ輝度１００％に相当する。
【００８７】
同様に、サブ発光部１１３の発光輝度を１００％に、上記８つのサブ発光部の発光輝度を０％に、制御した場合における第１液晶素子２１３の照射輝度として、１００％が算出される。
【００８８】
上記算出結果から、上記８つのサブ発光部の発光輝度を１００％から０％に低減したことにより、画素４１３の表示輝度が半分に低減すると判断される。そして、サブ発光部１１３の発光輝度の設定値が２００％（１００％の２倍）に調整される。
【００８９】
そして、サブ発光部１１３の発光輝度を２００％に、上記８つのサブ発光部の発光輝度を０％に、制御した場合における第１液晶素子２１４の照射輝度として、１２０％（６０％×２）が算出される。ここで、画素４１４のデータ輝度は１５％であるため、第１液晶素子２１４と第２液晶素子３１４を透過した光の輝度が３０％（照射輝度２００％×１５％）に制御されるように、第１液晶素子２１４と第２液晶素子３１４の透過率を制御する必要がある。そのため、上記算出結果（１２０％）に第１液晶素子２１４の透過率と第２液晶素子３１４の透過率とを乗算した値が３０％となるように、第１液晶素子２１４と第２液晶素子３１４の透過率の設定値が調整される。本実施例では、第１液晶素子２１４の透過率の設定値と、第２液晶素子３１４の透過率の設定値と、がそれぞれ５０％に調整される。
【００９０】
上記調整後の設定値を採用した場合、バックライト部１００の消費電力は、１１．１Ｗ（＝１００Ｗ×（１／９））となる。また、第１液晶パネル２００の消費電力は、５．３Ｗ（＝４．６Ｗ＋０．４Ｗ＋０．３Ｗ）となり、第２液晶パネル３００の消費電力も、５．３Ｗとなる。そのため、上記調整後の設定値を採用した場合の画像表示装置１０の総消費電力として、基準電力６０．６３Ｗよりも低い２１．７Ｗ（＝１１．１Ｗ＋５．３Ｗ＋５．３Ｗ）が算出される。その結果、総消費電力を基準電力未満に低減することができると判断され、上記調整後の設定値が最終的な設定値として採用される。上記調整後の設定値を採用した場合の総消費電力が基準電力以上である場合には、総消費電力を基準電力未満に低減することができないと判断され、Ｓ７０２とＳ７０３で設定された値が最終的な設定値として採用される。
ここまでが、Ｓ７０４の処理である。
【００９１】
次に、バックライト部１００の発光輝度の設定値、第１液晶パネル２００の透過率の設定値、及び、第２液晶パネル３００の透過率の設定値、が決定部５１０から出力される（Ｓ７０５）。
【００９２】
以上の処理により、画像表示装置１０の表示輝度の変化を抑制しつつ、画像表示装置１０の総消費電力を６０．６３Ｗから２１．７Ｗに低減することができる。
なお、発光輝度と透過率の制御方法（決定方法）は、上記方法に限らない。総消費電力を低減でき、且つ、表示輝度の変化を抑制できれば、どのような方法で発光輝度と透過率が制御されてもよい。
【００９３】
表示対象画像のデータ輝度が図１２（Ｂ）に示すデータ輝度であった場合における決定部５１０の処理フローの一例について説明する。図１２（Ｂ）では、画素４１３，４１４のデータ輝度が５０％、残りの画素のデータ輝度が０％、である。
【００９４】
まず、画素４１３，４１４のデータ輝度が５０％、残りの画素のデータ輝度が０％、であるため、最大輝度として５０％が検出される（Ｓ７０１）。
次に、最大輝度が５０％であるため、全てのサブ発光部の発光輝度として５０％が設定される（Ｓ７０２）。
【００９５】
そして、Ｓ７０３の処理が行われる。
全てのサブ発光部の発光輝度の設定値は５０％であり、且つ、画素４０１のデータ輝度は０％である。そのため、第１液晶素子２０１の透過率、及び、第２液晶素子３０１の透過率、として０％が設定される。同様に、第１液晶素子２０２〜２１２，２１５〜２２５
の透過率、及び、第２液晶素子３０２〜３１２，３１５〜３２５の透過率、として０％が設定される。
また、全てのサブ発光部の発光輝度の設定値は５０％であり、且つ、画素４１３のデータ輝度は５０％である。そのため、第１液晶素子２１３の透過率、及び、第２液晶素子３１３の透過率、として１００％が設定される。同様に、第１液晶素子２１４の透過率、及び、第２液晶素子３１４の透過率、として１００％が設定される。
【００９６】
次に、Ｓ７０４の処理が行われる。
全てのサブ発光部の発光輝度の設定値は５０％であり、全てのサブ発光部の発光輝度が５０％のときのバックライト部１００の消費電力は２５Ｗである。
２３個の第１液晶素子２０１〜２１２，２１５〜２２５の透過率の設定値は０％である。そして、２３個の第１液晶素子２０１〜２１２，２１５〜２２５の透過率を０％に制御することに起因した第１液晶パネル２００の消費電力は４．６Ｗ（＝５Ｗ×（２３／２５））である。２つの第１液晶素子２１３，２１４の透過率の設定値は１００％であり、２つの第１液晶素子２１３，２１４の透過率を１００％に制御することに起因した第１液晶パネル２００の消費電力は０．８Ｗ（＝１０Ｗ×（２／２５））である。そのため、Ｓ７０３で設定された値を用いた場合の第１液晶パネル２００の総消費電力として、５．４Ｗ（＝４．６Ｗ＋０．８Ｗ）が算出される。
２３個の第２液晶素子３０１〜３１２，３１５〜３２５の透過率の設定値は０％である。そして、２３個の第２液晶素子３０１〜３１２，３１５〜３２５の透過率を０％に制御することに起因した第２液晶パネル３００の消費電力は４．６Ｗである。２つの第２液晶素子３１３，３１４の透過率の設定値は１００％であり、２つの第２液晶素子３１３，３１４の透過率を１００％に制御することに起因した第２液晶パネル３００の消費電力は０．８Ｗである。そのため、Ｓ７０３で設定された値を用いた場合の第２液晶パネル３００の総消費電力として、５．４Ｗ（＝４．６Ｗ＋０．８Ｗ）が算出される。
そして、Ｓ７０２とＳ７０３で設定された値を用いた場合の画像表示装置１０の総消費電力（基準電力）として、３５．８Ｗ（＝２５Ｗ＋５．４Ｗ＋５．４Ｗ）が算出される。
【００９７】
次に、表示対象画像データに基づいて、表示対象画像のデータ輝度が低い領域に対応するサブ発光部の発光輝度の設定値が低減される。８つの画素４０１，４０３，４０５，４１１，４１５，４２１，４２３，４２５のデータ輝度が０％である。そのため、上記８つの画素に対応する８つのサブ発光部１０１，１０３，１０５，１１１，１１５，１２１，１２３，１２５の発光輝度の設定値が０％に調整される。
【００９８】
そして、上記８つのサブ発光部の発光輝度を５０％から０％に低減したことによる表示輝度の変化が抑制されるように、サブ発光部の発光輝度の設定値、及び、液晶素子の透過率の設定値、が調整される。具体的には、発光輝度の設定値が５０％であるサブ発光部と透過率の設定値が０％でない液晶素子とについて、設定値が調整される。
【００９９】
全てのサブ発光部の発光輝度を５０％に制御した場合における第１液晶素子２１３の照射輝度として、１００％が算出される。同様に、サブ発光部１１３の発光輝度を５０％に、上記８つのサブ発光部の発光輝度を０％に、制御した場合における第１液晶素子２１３の照射輝度として、５０％が算出される。これらの算出結果から、上記８つのサブ発光部の発光輝度を５０％から０％に低減したことにより、画素４１３の表示輝度が半分に低減すると判断される。そして、サブ発光部１１３の発光輝度の設定値が１００％（５０％の２倍）に調整される。
【０１００】
そして、サブ発光部１１３の発光輝度を１００％に、上記８つのサブ発光部の発光輝度を０％に、制御した場合における第１液晶素子２１４の照射輝度として、６０％が算出される。ここで、画素４１４のデータ輝度は５０％であるため、第１液晶素子２１４と第２
液晶素子３１４を透過した光の輝度を１００％（照射輝度２００％×５０％）に制御する必要がある。しかしながら、照射輝度が６０％である場合には、第１液晶素子２１４と第２液晶素子３１４を透過した光の輝度を１００％に制御することはできない。そのため、サブ発光部１１３の発光輝度の設定値が１６７％（＝１００％×（１００／６０））に調整される。サブ発光部１１３の発光輝度を１６７％に、上記８つのサブ発光部の発光輝度を０％に、制御した場合における第１液晶素子２１４の照射輝度は、１００％となる。そのため、第１液晶素子２１４の透過率、及び、第２液晶素子３１４の透過率、を１００％に制御すれば、第１液晶素子２１４と第２液晶素子３１４を透過した光として、輝度１００％の光を得ることができる。
【０１０１】
次に、サブ発光部１１３の発光輝度を１６７％に、上記８つのサブ発光部の発光輝度を０％に、制御した場合における第１液晶素子２１３の照射輝度として、１６７％が算出される。ここで、画素４１３のデータ輝度は５０％であるため、第１液晶素子２１３と第２液晶素子３１３を透過した光の輝度が１００％に制御されるように、第１液晶素子２１３と第２液晶素子３１３の透過率を制御する必要がある。そのため、上記算出結果（１６７％）と画素４１３のデータ輝度（５０％）とに基づいて、第１液晶素子２１３と第２液晶素子３１３の透過率の設定値が調整される。具体的には、第１液晶素子２１３の透過率に第２液晶素子３１３の透過率を乗算した値が６０％（＝１００％×（６０／１００））となるように、第１液晶素子２１３と第２液晶素子３１３の透過率の設定値が調整される。本実施例では、第１液晶素子２１３の透過率の設定値が８０％に調整され、第２液晶素子３１３の透過率の設定値が７５％に調整される。
【０１０２】
上記調整後の設定値を採用した場合、バックライト部１００の消費電力は、９．２６Ｗ（＝８３．３Ｗ×（１／９））となる。また、第１液晶パネル２００の消費電力は、５．３６Ｗ（＝４．６Ｗ＋０．４Ｗ＋０．３６Ｗ）となり、第２液晶パネル３００の消費電力は、５．３５Ｗ（＝４．６Ｗ＋０．４Ｗ＋０．３５Ｗ）となる。そのため、上記調整後の設定値を採用した場合の画像表示装置１０の総消費電力として、基準電力３５．８Ｗよりも低い１９．９７Ｗ（＝９．２６Ｗ＋５．３６Ｗ＋５．３５Ｗ）が算出される。その結果、総消費電力を基準電力未満に低減することができると判断され、上記調整後の設定値が最終的な設定値として採用される。
ここまでが、Ｓ７０４の処理である。
【０１０３】
次に、バックライト部１００の発光輝度の設定値、第１液晶パネル２００の透過率の設定値、及び、第２液晶パネル３００の透過率の設定値、が決定部５１０から出力される（Ｓ７０５）。
【０１０４】
以上の処理により、画像表示装置１０の表示輝度の変化を抑制しつつ、画像表示装置１０の総消費電力を３５．８Ｗから１９．９７Ｗに低減することができる。
【０１０５】
以上述べたように、本実施例によれば、各サブ発光部の発光輝度が個別に制御される。それにより、２枚の透過パネル（液晶パネル）を有する画像表示装置の総消費電力をより低減することができる。また、本実施例によれば、各サブ発光部から発せられた光の拡散をさらに考慮して、各サブ発光部の発光輝度、第１液晶パネルの透過率、及び、第２液晶パネルの透過率、が制御される。それにより、表示輝度の変化をより抑制することができる。
【０１０６】
なお、実施例１，２では、第１電力情報、第２電力情報、及び、第３電力情報の３つの電力情報を使用する例を説明したが、これに限らない。第１電力情報、及び、第２電力情報と第３電力情報の少なくとも一方、に基づいて、バックライト部の発光輝度、及び、第１液晶パネルの透過率と第２液晶パネルの透過率の少なくとも一方、が制御（調整）され
ればよい。例えば、第１電力情報と第２電力情報に基づいて、バックライト部の発光輝度と、第１液晶パネルの透過率と、が制御されてもよい。その場合には、第２液晶パネルの透過率は、所定値に制御されたり、電力情報を使用しない所定の方法で制御されたりすればよい。また、第１電力情報と第３電力情報に基づいて、バックライト部の発光輝度と、第２液晶パネルの透過率と、が制御されてもよい。その場合には、第１液晶パネルの透過率は、所定値に制御されたり、電力情報を使用しない所定の方法で制御されたりすればよい。記憶部は、使用される電力情報が少なくとも記憶していればよい。即ち、記憶部は、第１電力情報、及び、第２電力情報と第３電力情報の少なくとも一方、を記憶していればよい。第１液晶パネルの構成が第２液晶パネルの構成と同じである場合には、第２電力情報と第３電力情報の両方を兼ねた１つの電力情報が用意されてもよい。
【０１０７】
なお、電力情報（第１電力情報、第２電力情報、及び、第３電力情報）が使用されなくてもよい。表示対象画像データに基づいて、バックライト部の発光輝度、及び、第１液晶パネルの透過率と第２液晶パネルの透過率の少なくとも一方、が制御されればよい。電力情報を使用しない構成では、例えば、画像データの輝度が低い場合に、画像データの輝度が高い場合に比べ低い発光輝度に、バックライト部の発光輝度が制御される。そして、バックライト部の発光輝度と表示対象画像データとに基づいて、表示対象画像データに基づく画像が表示されるように、第１液晶パネルの透過率と第２液晶パネルの透過率の少なくとも一方、が制御される。このような構成によれば、バックライト部の発光輝度が固定されている場合に比べ低い電力に画像表示装置の総消費電力を低減する効果が期待できる。
【０１０８】
電力情報を使用せずに画像表示装置の総消費電力を低減することができる効果について、図１３（Ａ）〜１３（Ｃ）を用いて説明する。図１３（Ａ）は、表示対象画像（表示対象画像データ）の一例を示す。図１３（Ｂ）は、バックライト部の発光輝度が固定されており、且つ、表示対象画像データに基づいて第１液晶パネルの透過率と第２液晶パネルの透過率とのみが制御される場合の例を示す。図１３（Ｃ）は、表示対象画像データに基づいて、バックライト部の発光輝度、第１液晶パネルの透過率、及び、第２液晶パネルの透過率が制御される場合の例を示す。図１３（Ａ）〜１３（Ｃ）では、簡単のため、表示対象画像、第１液晶パネル、第２液晶パネル、バックライト部、及び、表示画像（画面に表示された画像）のそれぞれが水平方向５個×垂直方向５個の合計２５個の領域に分割されている。
【０１０９】
図１３（Ａ）において、表示対象画像の各領域に記載の数値は、その領域における表示対象画像の輝度である。図１３（Ａ）では、３行３列目の領域における輝度が１００％であり、残り２４個の領域における輝度が０％である。図１３（Ｂ），１３（Ｃ）において、第１液晶パネルの各領域に記載の数値は、その領域における第１液晶パネルの透過率である。第２液晶パネルの各領域に記載の数値は、その領域における第２液晶パネルの透過率である。バックライト部の各領域に記載の数値は、その領域におけるバックライト部の発光輝度である。表示画像の各領域に記載の数値は、その領域における表示画像の輝度である。図１３（Ｂ），１３（Ｃ）に記載の数値は、図１３（Ａ）の表示対象画像が使用された場合の値である。
【０１１０】
図１３（Ｂ）では、３行３列目の領域における第１液晶パネルの透過率が１００％であり、残り２４個の領域における第１液晶パネルの透過率が０％である。３行３列目の領域における第２液晶パネルの透過率が１００％であり、残り２４個の領域における第２液晶パネルの透過率が０％である。そして、全ての領域におけるバックライト部の発光輝度が１００％である。それにより、表示画像として表示対象画像と略同一の輝度を有する画像が得られる。
【０１１１】
ここで、１つの領域における液晶パネル（第１液晶パネル、第２液晶パネル）の透過率
を０％に制御するために要する電力が１ｍＷであり、１つの領域における液晶パネルの透過率を１００％に制御するために要する電力が１００ｍＷであるとする。そのため、図１３（Ｂ）では、第１液晶パネルの消費電力と、第２液晶パネルの消費電力とは、それぞれ、１２４ｍＷとなる。また、１つの領域におけるバックライト部の発光輝度を０％に制御するために要する電力が０Ｗであり、１つの領域におけるバックライト部の発光輝度を１００％に制御するために要する電力が１Ｗであるとする。そのため、図１３（Ｂ）では、バックライト部の消費電力は、２５Ｗとなる。その結果、図１３（Ｂ）では、画像表示装置の総消費電力は、２５．２４８Ｗとなる。
【０１１２】
図１３（Ｃ）では、全ての領域における第１液晶パネルの透過率が１００％であり、全ての領域における第２液晶パネルの透過率が１００％である。そして、３行３列目の領域におけるバックライト部の発光輝度が１００％であり、残り２４個の領域におけるバックライト部の発光輝度が０％である。それにより、表示画像として表示対象画像と略同一の輝度を有する画像が得られる。
【０１１３】
上述したように、１つの領域における液晶パネルの透過率を０％に制御するために要する電力は１ｍＷであり、１つの領域における液晶パネルの透過率を１００％に制御するために要する電力は１００ｍＷである。そのため、図１３（Ｃ）では、第１液晶パネルの消費電力と、第２液晶パネルの消費電力とは、それぞれ、２．５Ｗとなる。また、１つの領域におけるバックライト部の発光輝度を０％に制御するために要する電力は０Ｗであり、１つの領域におけるバックライト部の発光輝度を１００％に制御するために要する電力は１Ｗである。そのため、図１３（Ｃ）では、バックライト部の消費電力は、１Ｗとなる。その結果、図１３（Ｃ）では、画像表示装置の総消費電力は、図１３（Ｂ）の総消費電力よりも１９．２４８Ｗも小さい６Ｗとなる。
【０１１４】
このように、表示対象画像データに基づいて、バックライト部の発光輝度、及び、第１液晶パネルの透過率と第２液晶パネルの透過率の少なくとも一方、が制御されることにより、画像表示装置の総消費電力を低減することができる。具体的には、バックライト部の発光輝度が固定されている場合に比べ低い電力に画像表示装置の総消費電力を低減することができる。
【０１１５】
＜その他の実施例＞
本発明は、上述の実施例の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０１１６】
１０：画像表示装置  １００：バックライト部  ２００：第１液晶パネル
３００：第２液晶パネル  ４００：記憶部  ５００：制御部
【図１】
2016110099.tif 000003
【図２】
2016110099.tif 000004
【図３】
2016110099.tif 000005
【図４】
2016110099.tif 000006
【図５】
2016110099.tif 000007
【図６】
2016110099.tif 000008
【図７】
2016110099.tif 000009
【図８】
2016110099.tif 000010
【図９】
2016110099.tif 000011
【図１０】
2016110099.tif 000012
【図１１】
2016110099.tif 000013
【図１２】
2016110099.tif 000014
【図１３】
2016110099.tif 000015